(57)【要約】定性的で記録担体に依存しない高速データ記録のための記録担体２１、記録方法、及び記録装置を提供する。光記録担体等の記録担体２１は、記録プロセスを最適化するための指示命令を提供するライトストラテジのクラス２２への少なくとも１つの参照２１００を有する、少なくとも１つの情報領域２１０を有する。記録方法は、バックアップ情報として、ライトストラテジのクラス２２への参照２１００の使用、及びその記録方法を実行する記録装置の詳細の使用により記録担体の適切なライトストラテジを事前に求めるインテリジェントライトストラテジ最適化方法である。記録装置と記録担体に関する情報を合わせることにより書き込みデータの品質を向上し、記録担体に関する情報が予め分かっている場合、ライトストラテジを最適化する記録方法は大幅に高速化される。また、記録装置は、所定のストラテジパラメータを有する記録担体を使用することにより、現在よりも広い記録担体のクラスを取り扱うことができるようになる。また、上記の記録担体の生産方法を提供する。
2009507317.tif 000002
【特許請求の範囲】
【請求項１】
記録可能型の記録担体であって、記録担体関連情報を格納した少なくとも１つの領域を有し、前記記録担体関連情報はライトストラテジのクラスへの少なくとも１つの参照を含む記録担体。
【請求項２】
前記ライトストラテジのクラスは前記（光）記録担体のライトストラテジを構成するパラメータを含む、請求項１に記載の記録担体。
【請求項３】
前記ライトストラテジを構成するパラメータは次のものに関する情報のうち少なくとも１つを含む、請求項２に記載の記録担体：
−波形フォーマット；
−パルス繰り返しレート；
−パルストレイン長；
−履歴補償深さ；
−将来補償深さ；
−ショートマークパワーブースト；
−マークパワーブーストの開始及び／または停止。
【請求項４】
記録可能な記録担体に情報を記録する方法であって、
前記記録担体は、記録担体関連情報を格納した少なくとも１つの領域を有し、前記記録担体関連情報はライトストラテジのクラスへの少なくとも１つの参照を含み、前記方法は
−前記ライトストラテジのクラスへの参照を読み出すステップ；
−前記ライトストラテジのクラスへの参照を使用してライトストラテジを最適化するステップを有し、
前記記録担体の適切なライトストラテジを前記ライトストラテジのクラスへの参照を前記記録担体に関する別の情報として使用して予め求める方法。
【請求項５】
前記ライトストラテジのクラスは前記記録担体のライトストラテジを構成するパラメータを含む、請求項４に記載の方法。
【請求項６】
前記ライトストラテジを構成するパラメータは次のものに関する情報のうち少なくとも１つを含む、請求項５に記載の方法：
−波形フォーマット；
−パルス繰り返しレート；
−パルストレイン長；
−履歴補償深さ；
−将来補償深さ；
−ショートマークパワーブースト；
−マークパワーブーストの開始及び／または停止。
【請求項７】
記録可能な記録担体に情報を記録する記録装置であって、
前記装置は請求項４のステップを実行するように動作する装置。
【請求項８】
請求項１乃至３いずれか一項に記載の記録担体の生産方法であって、
前記記録担体の少なくとも１つの領域に、前記ライトストラテジのクラスへの参照を少なくとも１つ書き込む段階を有する方法。
【請求項９】
前記記録担体の前記領域はプリグルーブ中のアドレス（ＡＤＩＰ）である、請求項８に記載の方法
【請求項１０】
前記記録担体の前記領域はプリグルーブ中の絶対時間（ＡＴＩＰ）である、請求項９に記載の方法
【請求項１１】
前記ライトストラテジのクラスへの参照は、前記領域にあるルックアップテーブルに書き込まれる、請求項８に記載の方法。
【発明の詳細な説明】
【技術分野】
【０００１】
本発明は、光記録担体等の記録担体、記録方法、及び適切な記録装置、若しくは前記記録担体の生産方法に関する。より具体的には、記録装置により使用される、前記記録方法をサポートする記録担体関連情報を含む情報を提供する記録担体が、本発明の目的である。
【背景技術】
【０００２】
新しい光記録担体（デュアルレイヤ・マルチレイヤ、高速、高密度、またはこれらの組み合わせ等）の発展が続き、記録装置が記録担体上にユーザデータを書き込む方法を規定するいわゆるライトストラテジ（write  strategies）の正確性と複雑性に対する制約がより一層強くなっている。光記録担体の場合、ライトストラテジは、記録手段に使用されるパルストレインシーケンス（the  sequence  of  pulse  trains）を規定している。例えば、新しい８倍速ＤＶＤ＋ＲＷ光記録担体は、ライトパルスが約２ビットクロックサイクルごとに与えられるいわゆる２Ｔストラテジを必要とし、偶奇マーク長に使用されるパルストレインは別に規定されている。
【０００３】
デュアルレイヤＤＶＤ＋Ｒ  ＤＬ光記録担体は、先行スペースの長さに依存する３つまでのプリヒート補償パラメータを有するストラテジを必要とする。
【０００４】
高速ＤＶＤ＋Ｒ光記録担体は、記録波形の途中でパワーを低減することにより長いマーク長の変調に微調整し、最も短いマーク長にパワーブーストをすることにより対称的に微調整するいわゆるキャッスルストラテジを必要とする。記録品質を最適化するため、履歴及び／または将来に依存する補償をするライトストラテジが提案されている。かかる場合には、前または後のマークの情報を使用して、現在のマークを記録する最適なパルス形状を決定する。光記録担体に記録されたデータの品質は、スポット形状と精密なタイミングとパワーとに大幅に依存する。結果として、記録担体ごとのバリエーションにより、名目上同一なライトストラテジの場合は、記録結果が異なる。同じことが記録担体ごとのバリエーションにも言える。例えば、記録スタックレイアウト（レイヤの厚さ、材料組成等）の小さなバリエーションにより、通常の光記録担体の場合とは記録特性が異なるからである。その結果、ライトストラテジの詳細は記録担体のタイプと記録装置の詳細の両方に依存する。現在、光記録担体のライトストラテジは記録担体情報で指定されている。例えば、ＤＶＤ＋ＲやＤＶＤ＋ＲＷの場合、ライトストラテジは対応する光記録担体のプリグルーブ中のアドレス（ＡＤＩＰ）に指定されている。記録データの品質を高く維持しつつ、高密度及び／または高速度のデータ記録に向けた努力により、物理的な限界に到達しつつあるので、記録性能は、記録担体と記録装置の詳細な物理特性にさらに大幅に依存する記録担体と記録装置の物理特性に生産段階で小さなバリエーションが生じることは避けられないので、一定のライトストラテジを使用して最適な記録性能を得るという考え方はもはや成り立たない。
【発明の開示】
【発明が解決しようとする課題】
【０００５】
本発明の目的は、記録担体に依存しない、高品質、高速及び／または高密度記録を実現する記録担体、記録装置、及び記録方法を提供することである。
【課題を解決するための手段】
【０００６】
この目的は、請求項１に記載した記録担体の提供により実現できる。さらに、上記目的は、請求項４に記載した情報記録方法、請求項７に記載した記録装置、及び請求項８に記載した記録担体生産方法により実現できる。
【０００７】
前記記録担体は、ライトストラテジのクラスへの少なくとも１つの参照を含む少なくとも１つの情報領域を有するように構成される。このライトストラテジのクラスにより、記録プロセスを最適化する指示命令が提供される。
【０００８】
記録方法は、次のステップを有するインテリジェントライトストラテジ最適化方法である：
−前記ライトストラテジのクラスへの参照を読み出すステップ；
−前記ライトストラテジのクラスへの参照を使用してライトストラテジを最適化するステップ。前記記録担体の適切なライトストラテジを前記ライトストラテジのクラスへの参照を前記記録担体に関する別の情報として使用して予め求める。また、前記記録装置により使用される。
【０００９】
固定のライトストラテジを使用するのではなく、記録装置及び／または記録方法における記録に最適なストラテジを求め、前記記録担体の前記ライトストラテジクラスへの参照により示されるライトストラテジに関する概略情報を、方法をサポートする指示情報としてのみ使用して、個々の記録装置の詳細と、個々の記録担体の詳細とである記録手段の基本的情報リソースを両方とも使用できる。こうして、書き込みデータの品質を大幅に向上する。記録担体に関する情報が予め分かっているときに、最適なライトストラテジを求める記録方法は、大幅に高速になる。この情報は前記ライトストラテジクラスへの参照に示され、このライトストラテジのクラスは抽象的な指示命令であり、ライトストラテジの概略のみを提供する。その後、最適化ステップの後に、前記クラスを、前記記録方法により決定された具体的なライトストラテジにより置き換える。
【００１０】
この方法のさらに別の利点は、記録ドライブが、所定のストラテジパラメータを有する記録担体を使用（sticking  to）することにより、現在よりも広い記録担体のクラスを取り扱うことができるようになることである。これは、記録方法により個々の記録装置と個々の記録担体の詳細を合わせる（combining）することを重視する場合の別の結果である。
【００１１】
本発明のその他の実施形態は従属項に規定した。
【００１２】
本発明は、添付した図面を参照して好ましい実施形態の以下の説明を読めばよく理解できるであろう。
【発明を実施するための最良の形態】
【００１３】
ここで、好ましい実施形態を、図１に示した光記録担体の構造に基づき説明する。
【００１４】
図１に示したように、従来の光記録担体１は機能が規定された複数の領域を有する。すなわち、
−物理的に保持し、回転させるための光記録担体のハルである中心ハル（central  hull）１１；
−光記録担体のテスト用の内側ドライブ領域１２；
−光記録担体に特有の制御情報を含むリードイン領域１３；
−ユーザデータ記録用のデータ領域１４；
−記録担体に特有の制御情報を含み、スムースなリードアウト（lead  out）のためのリードアウト領域１５；
−内側ドライブ領域１２のように、光記録担体のテスト用の外側ドライブ領域１６。
【００１５】
かかる従来の光記録担体の例としては、ＣＤ−Ｒ、ＣＤ−ＲＷ、書き込み可能ＤＶＤ（例えば、ＤＶＤ＋ＲＷ）がある。情報領域１３１（例えば、記録担体がＤＶＤの場合のＡＤＩＰ、ＣＤの場合のＡＴＩＰ、ルックアップテーブルなど）はリードイン領域１３にあり、光記録装置が光記録担体１にデータを書き込む方法を規定する少なくとも１つのライトストラテジの詳細を含む。ライトストラテジは、基本的に、記録担体にピットを記録する時のレーザ出力波形の規定である。このライトストラテジ１３１１は、過去及び／または将来に依存する補償を含み、記録担体１にデータを書き込む従来の記録方法により使用される。かかる記録プロセスでは、記録担体に特有の情報のみが使用される。
【００１６】
図２は、記録担体に依存しない高品質かつ高速の記録を実現する、本発明による記録担体２１の構成を示す図である。記録プロセスにおいて、個別の記録担体２１と組み合わせて個別の記録装置の詳細を使用して、上記の目的を達成するものである。記録担体２１は、記録担体関係の情報と、ライトストラテジのクラス（class）への少なくとも１つの参照２１００とを格納する少なくとも１つの領域２１０を有する。ライトストラテジのクラスへの参照２１００は、ライトストラテジ２２の具体的クラスを参照するものである。対応関係を、参照２１００からライトストラテジクラス２２への有効矢印（directed  and  dashed  arrow）で示した。ライトストラテジクラスは、そのライトストラテジを構成するパラメータＰ１、Ｐ２、・・・Ｐｎ（ｎ＞１）を含む。パラメータＰ１、Ｐ２、・・・Ｐｎは、最適なライトストラテジを探す記録方法において、サポート機能（support  function）を有する。光記録担体の場合、これらのパラメータは次の情報を提供する：波形フォーマット、パルス繰り返しレート、パルストレイン長、履歴補償深さ（history-compensation  depth）、将来補償深さ（future-compensation  depth）、ショートマークパワーブースト（short-mark  power  boost）、マークパワーブーストの開始及び／または停止など。留意すべき点として、ライトストラテジクラス２２は、記録プロセスの全体的形状のみを与えるものである。上記の参照２１０を有する情報領域を考慮して、光記録担体の場合、この情報領域２０は例えばＡＤＩＰ、ＡＴＩＰ、またはルックアップテーブルであってもよい。また、当業者には明らかである、ライトストラテジのクラスへの参照情報を格納するその他の領域も使用できる。
【００１７】
本発明による記録担体にデータを記録する記録方法の実施形態を図３に示す。図３は、本発明による記録担体にデータを記録する記録方法の主なステップを示すフローチャートである。上記のように、好ましい実施形態を光記録担体の構成に基づき説明する。このように、最初のステップＳ３０は、ライトストラテジのクラス２２への参照２１００の読み出しである。パラメータＰ１、Ｐ２・・・Ｐｎを使用して、光記録担体で書き込みテストＳ３１を行う。ステップＳ３２において、再生信号を記録担体に記録したマークから受け取り、分析する。この信号が条件を満たしているかどうか判断する。再生信号が条件を満たしている場合、ライトストラテジのそのクラス２２を使用して、記録をすぐに開始する。再生信号が条件を満たしていなければ、ライトストラテジの最適化を実施しなければならない。このタスクはステップＳ３３で示されている。ステップＳ３３では、適切なライトストラテジを決定するには、再生信号特性と、記録担体の情報としてパラメータＰ１、Ｐ２・・・Ｐｎを与えるライトストラテジのクラス２２への参照２１００と、記録装置の詳細とが使用される。具体的な記録担体と記録装置の適切なライトストラテジが決まると、ステップＳ３４で示した記録プロセスが開始できる。
【００１８】
留意すべきことは、上記の実施形態で示したステップは固定ではないことである。当業者は別のステップを加えてもよいし、上記のステップの一部を削除してもよい。本発明による記録を行う場合、ライトストラテジのクラス２２への参照２１００を読み出すステップ、参照２１００を使用してライトストラテジの最適化を行うステップは、その他のシステムに特有のステップを伴ってもよいし、個別の記録再生システムに合わせて修正してもよい。記録担体の適切なライトストラテジを、担体に関する追加情報として、参照２１００を使用して予め探す。
【００１９】
本記録担体及び本記録方法は上記の好ましい実施形態には限定されず、任意の記録可能型記録担体に使用できる。このように、好ましい実施形態は添付した請求の範囲内で変化し得る。
【図面の簡単な説明】
【００２０】
【図１】完全なライトストラテジが規定された情報フィールドを有する従来の光記録担体の構成を示す図である。
【図２】本発明による記録担体の構成を示す図である。
【図３】本発明による記録担体にデータを記録する記録方法を示すフローチャートである。
【図１】
2009507317.tif 000003
【図２】
2009507317.tif 000004
【図３】
2009507317.tif 000005
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
記録可能型の記録担体であって、記録担体関連情報を格納した少なくとも１つの領域を有し、前記記録担体関連情報はライトストラテジのクラスへの少なくとも１つの参照を含み、
前記ライトストラテジのクラスは前記記録担体のライトストラテジを構成するパラメータを含み、ライトストラテジの最適化に使用される記録担体。
【請求項２】
前記ライトストラテジを構成するパラメータは次のものに関する情報のうち少なくとも１つを含む、請求項１に記載の記録担体：
−波形フォーマット；
−パルス繰り返しレート；
−パルストレイン長；
−履歴補償深さ；
−将来補償深さ；
−ショートマークパワーブースト；
−マークパワーブーストの開始及び／または停止。
【請求項３】
記録可能な記録担体に情報を記録する方法であって、
前記記録担体は、記録担体関連情報を格納した少なくとも１つの領域を有し、前記記録担体関連情報はライトストラテジのクラスへの少なくとも１つの参照を含み、前記ライトストラテジのクラスは前記記録担体のライトストラテジを構成するパラメータを含み、ライトストラテジの最適化に使用され、前記方法は
−前記ライトストラテジのクラスへの参照を読み出すステップ；
−前記ライトストラテジのクラスへの参照を使用してライトストラテジを最適化するステップを有し、
前記記録担体の適切なライトストラテジを前記ライトストラテジのクラスへの参照を前記記録担体に関する別の情報として使用して予め求める方法。
【請求項４】
前記ライトストラテジを構成するパラメータは次のものに関する情報のうち少なくとも１つを含む、請求項３に記載の方法：
−波形フォーマット；
−パルス繰り返しレート；
−パルストレイン長；
−履歴補償深さ；
−将来補償深さ；
−ショートマークパワーブースト；
−マークパワーブーストの開始及び／または停止。
【請求項５】
記録可能な記録担体に情報を記録する記録装置であって、
前記装置は請求項３のステップを実行するように動作する装置。
【請求項６】
請求項１または２に記載の記録担体の生産方法であって、
前記記録担体の少なくとも１つの領域に、前記ライトストラテジのクラスへの参照を少なくとも１つ書き込む段階を有する方法。
【請求項７】
前記記録担体の前記領域はプリグルーブ中のアドレス（ＡＤＩＰ）である、請求項６に記載の方法
【請求項８】
前記記録担体の前記領域はプリグルーブ中の絶対時間（ＡＴＩＰ）である、請求項６に記載の方法
【請求項９】
前記ライトストラテジのクラスへの参照は、前記領域にあるルックアップテーブルに書き込まれる、請求項６に記載の方法。
【国際調査報告】
2009507317.tif 000006
2009507317.tif 000007